(57)【要約】【課題】  様式の異同に関係なく、複数のシートを容易に出力することが可能な写真撮影プリント装置を提供する。【解決手段】  写真撮影プリント装置１は、カメラユニット２によって撮影された画像に基づいて、画像形成したプリント媒体を出力する複数のプリント部（第１プリント部３４と第２プリント部３５）を備えている。そして、出力処理部２３は、１回のプレイにおいて、第１プリント部３４と第２プリント部３５との各々にプリント媒体を出力させる。【選択図】  図１
2005271262.tif 000002
【特許請求の範囲】
【請求項１】
被写体の撮影を行う撮影部と、前記撮影部によって撮影された画像に基づいて、画像形成したプリント媒体を出力する少なくとも２つの画像出力部と、装置の動作を制御する制御手段とを備え、被写体を写真撮影し、撮影した画像をプリント出力するプレイを行う写真撮影プリント装置において、
前記制御手段は、１回のプレイにおいて、少なくとも２つの画像出力部の各々にプリント媒体を出力させるように前記各画像出力部を制御する画像出力制御手段を備えることを特徴とする写真撮影プリント装置。
【請求項２】
各画像出力部は、出力するプリント媒体の種類、プリント媒体のサイズ、プリント方式のうち少なくとも一つが異なることを特徴とする請求項１に記載の写真撮影プリント装置。
【請求項３】
前記画像出力制御手段は、利用者の操作に応じて、プリント媒体のシートレイアウト、または、撮影部が撮影した画像への編集の有無の少なくとも一つを、画像出力部ごとに変更することを特徴とする請求項１または２に記載の写真撮影プリント装置。
【請求項４】
前記画像出力制御手段は、各画像出力部に並行してプリント媒体を出力させ、各画像出力部におけるプリント媒体の出力終了時間をほぼ同じにすることを特徴とする請求項１から３の何れか１項に記載の写真撮影プリント装置。
【請求項５】
前記少なくとも２つの画像出力部が第１画像出力部と第２画像出力部とを含み、
前記制御手段は、利用者の操作に応じて、画像を生成するための生成条件を設定する設定手段を含み、
前記設定手段は、前記画像出力制御手段が第１画像出力部に対してプリント媒体を出力させた後、前記生成条件を設定し、
前記画像出力制御手段は、前記設定手段が設定した生成条件に従って生成された画像に基づいて、前記第２画像出力部にプリント媒体を出力させることを特徴とする請求項１から３の何れか１項に記載の写真撮影プリント装置。
【請求項６】
前記生成条件は、前記撮影部における撮影条件であり、
前記設定手段は、設定した撮影条件に従って、前記撮影部に再度被写体を撮影させ、
前記画像出力制御手段は、再度撮影した画像に基づいて、前記第２画像出力部にプリント媒体を出力させることを特徴とする請求項５に記載の写真撮影プリント装置。
【請求項７】
前記撮影条件が、照明条件であることを特徴とする請求項６に記載の写真撮影プリント装置。
【請求項８】
前記生成条件は、前記撮影部が撮影した画像に対する画像処理条件であり、
前記設定手段は、設定した画像処理条件に従って、撮影部が撮影した画像の画像処理を行い、
前記画像出力制御手段は、前記設定手段が画像処理した画像に基づいて、前記第２画像出力部にプリント媒体を出力させることを特徴とする請求項５に記載の写真撮影プリント装置。
【請求項９】
前記画像処理条件が、プリント媒体における明るさ調整条件であることを特徴とする請求項８に記載の写真撮影プリント装置。
【請求項１０】
請求項１から９のいずれか１項に記載の写真撮影プリント装置を動作させる制御プログラムであって、コンピュータを上記各手段として機能させるための写真撮影プリント装置の制御プログラム。
【請求項１１】
請求項１０に記載の写真撮影プリント装置の制御プログラムを記録したコンピュータ読み取り可能な記録媒体。
【請求項１２】
被写体の撮影を行う撮影部と、該撮影部によって撮影された画像に基づいて、画像形成されたプリント媒体を出力する少なくとも２つの画像出力部とを備え、被写体を写真撮影し、撮影した画像を印刷出力するプレイを行う写真撮影プリント装置の制御方法であって、
１回のプレイにおいて、少なくとも２つの画像出力部から各々プリント媒体を出力させることを特徴とする写真撮影プリント装置の制御方法。
【発明の詳細な説明】
【技術分野】
【０００１】
本発明は、利用者の写真撮影を行うとともに、その写真を背景画像や落書き画像などと合成した上で写真プリントとして出力する写真撮影プリント装置、写真撮影プリント装置の制御プログラム、コンピュータ読み取り可能な記録媒体、および写真撮影プリント装置の制御方法に関するものである。
【背景技術】
【０００２】
従来、例えばゲームセンターなどの娯楽施設において、利用者の写真撮影を行うとともに、その写真を背景画像などと合成した上でシールプリントとして出力する写真シール自動販売機が設置されており、人気を博している。この写真シール自動販売機には、撮影した画像上に利用者が付属のタッチペンで任意の文字や図形などを書き込むことが可能となっているものも存在している。このような写真シール自動販売機での処理は、コイン投入、撮影処理、編集（落書き）処理、シール印刷という流れになっている。これらの一連の操作を終了した利用者は、投入したコインに対する成果物であるシールプリントを受け取ることによって１回のプレイを終了することになる。
【０００３】
上記写真シール自動販売機においては、写真画像の性能を高めるために様々な工夫が施されている。例えば、特許文献１（段落〔００７５〕〜〔００７９〕参照）では、利用者が金色や銀色の色彩を用いた画像の入力を行うか否かを選択することができ、金色や銀色の色彩を用いた画像が選択された場合と、そうでない場合とで、プリントアウトするプリンタが異なる技術が開示されている。金色や銀色の色彩を用いた画像を形成するプリンタは、イエロー、シアンおよびマゼンタの３色の昇華性インクをプリントする記録ヘッドと、金や銀などのメタリック色の顔料インクをプリントする記録ヘッドとを備えている。そして、該２つの記録ヘッドが、一枚の印刷媒体に連続でプリントを行う。
【０００４】
このように、特許文献１では、利用者が金色や銀色の色彩を用いた画像を出力するか否かを選択できるものの、成果物として出力されるシールプリントは一枚だけである。しかしながら、通常、上記写真シール自動販売機は、一人だけで撮影されることは少なく、複数の友達と一緒に撮影されることが多い。そこで、特許文献２では、撮影人数にあわせて、予め利用者が入力した枚数だけ、成果物であるシールプリントを出力する写真自販機が開示されている。
【０００５】
さらに、特許文献３は、装置の利用促進を図るために、通常のプレイを設定回数だけ利用した利用者に対して、サービスプレイを行わせる技術が開示されている。
【０００６】
なお、上記写真シール自動販売機において使用されるプリンタとしては、特許文献４に開示されているように、昇華型やインクジェット型などがある。
【特許文献１】特開２００３−２０３２７３公報（公開日：２００３年７月１８日）
【特許文献２】特開２００２−１９００６３公報（公開日：２００２年７月５日）
【特許文献３】特開２００４−２１２７２公報（公開日：２００４年１月２２日）
【特許文献４】特開２００２−１２５１７６公報（公開日：２００２年４月２６日）
【発明の開示】
【発明が解決しようとする課題】
【０００７】
しかしながら、上記特許文献２では、出力される複数枚のシールが１台のプリンタから連続して出力されるため、すべてのシールを出力するのに時間がかかる。もしくは、１枚のシートの大きさが小さくなってしまう。
【０００８】
また、上記特許文献２で出力される複数枚のシールは、シートの種類（シート種）やシートサイズ、シートレイアウト、プリント方式、インク（顔料、染料など）種等の様式において全く同一のものである。そのため、異なるシート種、シートサイズ等のシートを欲する利用者に対応することができない。この場合、利用者は、出力されたシートをカラーコピー機等でコピーを行う必要があり不便であった。なお、特許文献３において、サービスプレイに関する技術が開示されているが、このサービスプレイは、一定の条件を満足した利用者に対してのみ与えられるものである。
【０００９】
さらに、撮影時に設定した絞りやフラッシュの明るさの調整および編集時に設定した明るさの調整が妥当であるか否かについて、表示画面上では確認可能である。しかしながら、印刷結果は、表示画面と全く同一というわけではないため、上記調整が妥当であるか否かの確認が困難であった。
【００１０】
本発明は、上記の問題点に鑑みてなされたものであり、その目的は、様式の異同に関係なく、複数のシートを容易に出力することが可能な写真撮影プリント装置、写真撮影プリント装置の制御プログラム、コンピュータ読み取り可能な記録媒体、および写真撮影プリント装置の制御方法を実現することにある。
【課題を解決するための手段】
【００１１】
本発明の写真撮影プリント装置は、上記の課題を解決するために、被写体の撮影を行う撮影部と、前記撮影部によって撮影された画像に基づいて、画像形成したプリント媒体を出力する少なくとも２つの画像出力部と、装置の動作を制御する制御手段とを備え、被写体を写真撮影し、撮影した画像をプリント出力するプレイを行う写真撮影プリント装置において、前記制御手段は、１回のプレイにおいて、少なくとも２つの画像出力部の各々にプリント媒体を出力させるように前記各画像出力部を制御する画像出力制御手段を備えることを特徴としている。
【００１２】
また、本発明の写真撮影プリント装置の制御方法は、上記の課題を解決するために、被写体の撮影を行う撮影部と、該撮影部によって撮影された画像に基づいて、画像形成されたプリント媒体を出力する少なくとも２つの画像出力部とを備え、被写体を写真撮影し、撮影した画像を印刷出力するプレイを行う写真撮影プリント装置の制御方法であって、１回のプレイにおいて、少なくとも２つの画像出力部から各々プリント媒体を出力させることを特徴としている。
【００１３】
ここで、プレイとは、利用者に対して、繰り返される一連の処理のことを意味する。例えば、課金処理、撮影処理、編集処理（落書き等）、印刷処理を、この順で繰り返し行う場合、１回のプレイとは、該課金処理〜印刷処理までの一連の処理のことを指す。また、課金処理、撮影処理、第１印刷処理、編集処理（落書き等）、第２印刷処理を、この順で繰り返し行う場合、１回のプレイとは、該課金処理〜第２印刷処理までの一連の処理のことを指す。さらに、他の例として、第１課金処理、撮影処理、第１印刷処理、編集処理（落書き等）、第２課金処理、第２印刷処理を、この順で繰り返し行う場合、１回のプレイとは、該第１課金処理〜第２印刷処理までの一連の処理のことを指す。
【００１４】
上記の構成または方法によれば、画像出力制御手段は、１回のプレイにおいて、少なくとも２つの画像出力部の各々にプリント媒体を出力させる。それゆえ、利用者は、１回のプレイで、少なくとも２枚のプリント媒体を取得することができる。
【００１５】
さらに、各プリント媒体は異なる画像出力部から出力される。そのため、予め各画像出力部における様式（例えば、プリント媒体のサイズ、プリント媒体の種類、プリント方式、インク（顔料、染料など）の種類、シートレイアウトなど）を同じにしておけば、同じ様式のプリント媒体を出力し、予め各画像出力部における様式を異なるようにしておけば、異なる様式のプリント媒体を出力することができる。このように、様式の異同に関係なく、複数のシートを容易に出力することができるという効果を奏する。
【００１６】
さらに、本発明の写真撮影プリント装置は、上記の構成に加えて、各画像出力部は、出力するプリント媒体の種類、プリント媒体のサイズ、プリント方式のうち少なくとも一つが異なることを特徴としている。
【００１７】
上記の構成によれば、利用者は、１回のプレイで、異なるプリント媒体の種類、プリント媒体のサイズ、プリント方式のプリント媒体を複数取得することができるという効果を奏する。
【００１８】
例えば、一方の画像出力部におけるプリント媒体のサイズを、従来の写真撮影プリント装置が出力するプリント媒体よりも小さいものとする。さらに、他方の画像出力部におけるプリント媒体のサイズを、従来のものと同じとする。この場合、該一方の画像出力部におけるプリント媒体、インク等に要するコストを抑えることができる。また、一方の画像出力部が出力するプリント媒体をおまけのシートとして提供でき、利用者は得した気分を味わうことができる。これにより、コストを抑えたうえで、集客率を向上させることができる。
【００１９】
さらに、本発明の写真撮影プリント装置は、上記の構成に加えて、利用者の操作に応じて、プリント媒体のシートレイアウト、または、撮影部が撮影した画像への編集の有無の少なくとも一つを、画像出力部ごとに変更することを特徴としている。
【００２０】
上記の構成によれば、利用者は、シートレイアウトの異なるプリント媒体を複数得ることができる。もしくは、利用者は、撮影した画像に対する編集のあるプリント媒体と編集のないプリント媒体とを取得することができるという効果を奏する。
【００２１】
さらに、本発明の写真撮影プリント装置は、上記の構成に加えて、前記画像出力制御手段は、各画像出力部に並行してプリント媒体を出力させ、各画像出力部におけるプリント媒体の出力終了時間をほぼ同じにすることを特徴としている。
【００２２】
上記の構成によれば、画像出力制御手段は、各画像出力部に対して並行して画像を出力させる。これにより、１台のプリンタのみを備える従来の構成の利用時間と同等の時間で、複数枚のプリント媒体を排出することができる。よって、排出のための待機時間が延びず、待機時間による利用者の不満を生じさせることなく、複数枚のプリント媒体を提供することができる。さらに、各画像出力部における処理終了時間をほぼ同じであるため、利用者は、複数枚のプリント媒体を同時に受取ることができ、いずれかのプリント媒体を取り忘れることがなくなるという効果を奏する。
【００２３】
さらに、本発明の写真撮影プリント装置は、上記の構成に加えて、前記少なくとも２つの画像出力部が第１画像出力部と第２画像出力部とを含み、前記制御手段は、利用者の操作に応じて、画像を生成するための生成条件を設定する設定手段を含み、前記設定手段は、前記画像出力制御手段が第１画像出力部に対してプリント媒体を出力させた後、前記生成条件を設定し、前記画像出力制御手段は、前記設定手段が設定した生成条件に従って生成された画像に基づいて、前記第２画像出力部にプリント媒体を出力させることを特徴としている。
【００２４】
上記の構成によれば、設定手段は、前記画像出力制御手段が第１画像出力部に対してプリント媒体を出力させた後、前記生成条件を設定する。したがって、第１画像出力部が出力するプリント媒体の結果を確認した上で、利用者は、画像を生成するための生成条件の設定条件を操作することができる。そして、第２画像出力部は、設定手段が設定した作成条件に従って作成された画像を基に、プリント媒体を出力する。これにより、第２画像出力部が出力するプリント媒体には、利用者の所望の条件により作成された画像が形成される。よって、利用者は、第２画像出力部が出力するプリント媒体について、期待通りの画像を得ることができるという効果を奏する。
【００２５】
さらに、本発明の写真撮影プリント装置は、上記の構成に加えて、前記生成条件は、前記撮影部における撮影条件であり、前記設定手段は、設定した撮影条件に従って、前記撮影部に再度被写体を撮影させ、前記画像出力制御手段は、再度撮影した画像に基づいて、前記第２画像出力部にプリント媒体を出力させることを特徴としている。
【００２６】
上記の構成によれば、第１画像出力部が出力するプリント媒体の結果を確認した上で、利用者は、撮影条件を設定することができる。そして、設定された撮影条件にしたがって、撮影部が再度撮影を行い、第２画像出力部は、再度撮影された画像を基に、画像形成されたプリント媒体を出力する。すなわち、利用者は、第１画像出力部が出力するプリント媒体の結果を確認した上で撮影条件を設定し、設定した撮影条件で再度撮影した画像が形成されたプリント媒体を取得できる。その結果、利用者は、より満足のいくプリント媒体を取得することができるという効果を奏する。
【００２７】
さらに、本発明の写真撮影プリント装置は、上記の構成に加えて、前記撮影条件が、照明条件であることを特徴としている。
【００２８】
写真撮影において、明るさは、画像全体の雰囲気を変化させる重要な要素である。特に、写真撮影プリント装置では、顔を中心として撮影されることがほとんどであり、顔の色は、照明条件により大きく変化する。
【００２９】
上記構成によれば、利用者は、第１画像出力部が出力するプリント媒体の結果を確認した上で、所望の照明条件を設定することができる。その結果、利用者は、画像全体の明るさを所望の条件とするプリント媒体を取得することができるという効果を奏する。
【００３０】
さらに、本発明の写真撮影プリント装置は、上記の構成に加えて、前記生成条件は、前記撮影部が撮影した画像に対する画像処理条件であり、前記設定手段は、設定した画像処理条件に従って、撮影部が撮影した画像の画像処理を行い、前記画像出力制御手段は、前記設定手段が画像処理した画像に基づいて、前記第２画像出力部にプリント媒体を出力させることを特徴としている。
【００３１】
上記の構成によれば、第１画像出力部が出力するプリント媒体の結果を確認した上で、利用者は、画像処理条件の設定を操作することができる。そして、画像出力制御手段は、設定された条件に従って画像処理された画像を基に、第２画像出力部にプリント媒体を出力させる。すなわち、利用者は、第１画像出力部が出力するプリント媒体の結果を確認した上で、所望の画像処理が施された画像が形成されたプリント媒体を取得できる。その結果、利用者は、より満足のいくプリント媒体を取得することができるという効果を奏する。
【００３２】
さらに、本発明の写真撮影プリント装置は、上記の構成に加えて、前記画像処理条件が、プリント媒体における明るさ調整条件であることを特徴としている。
【００３３】
上述したように、写真撮影において、明るさは、画像全体の雰囲気を変化させる重要な要素である。上記の構成によれば、利用者は、第１画像出力部が出力するプリント媒体の結果を確認した上で、所望の明るさ調整を設定し、撮影画像に対して明るさ調整をすることができる。その結果、利用者は、画像全体の明るさを所望の条件とするプリント媒体を取得することができるという効果を奏する。なお、この場合、再度撮影する必要がないため、利用時間の短縮を図ることができるという効果を奏する。
【００３４】
なお、写真撮影プリント装置は、コンピュータにより実現してもよく、この場合には、コンピュータを上記各手段として動作させることにより上記写真撮影プリント装置をコンピュータにて実現させる写真撮影プリント装置の制御プログラム、及びその写真撮影プリント装置の制御プログラムを記録したコンピュータ読み取り可能な記録媒体も、本発明の範疇に入る。
【００３５】
これら構成によれば、写真撮影プリント装置の制御プログラムを、コンピュータに読み取り実行させることによって、上記写真撮影プリント装置と同一の作用効果を実現することができる。
【発明の効果】
【００３６】
本発明に係る写真撮影プリント装置は、以上のように、１回のプレイにおいて、少なくとも２つの画像出力部の各々にプリント媒体を出力させるように各画像出力部を制御する画像出力制御手段を備えている。
【００３７】
それゆえ、利用者が１回のプレイで少なくとも２枚のプリント媒体を取得することができるとともに、様式の異同に関係なく、複数のシートを容易に出力することができるという効果を奏する。
【００３８】
また、本発明に係る、写真撮影プリント装置の制御方法、写真撮影プリント装置の制御プログラム、コンピュータ読み取り可能な記録媒体も、同一の効果を実現できる。
【発明を実施するための最良の形態】
【００３９】
〔実施形態１〕
本発明の一実施形態について図１ないし図６に基づいて説明すると以下の通りである。
【００４０】
本実施形態に係る写真撮影プリント装置１は、利用者の写真を撮影する機能（撮影機能）、撮影した写真に対して落書きなどの編集を利用者に行わせる機能（編集機能）、及び編集された画像をプリントする機能（プリント機能）を備えているものである。
【００４１】
（写真撮影プリント装置の外観的構成）
まず、図２〜４を参照しながら、写真撮影プリント装置１の外観について説明する。図２は、本実施形態に係る写真撮影プリント装置１の上からの断面図である。図２に示すように、利用者を被写体として撮影する装置本体３と、被写体の背景となる背景シート４とが配備されている。装置本体３から背景シート４までの周囲および上部は、外部からの光を遮断する遮光幕によって覆われ、これにより利用者の写真を撮影する撮影空間５が形成される。さらに、写真撮影プリント装置１は、利用者に編集を行わせる編集領域６を備えている。撮影空間５と編集領域６とは、装置本体３を間に介在させた配置になっている。
【００４２】
また、図２に示されるように、本実施形態の写真撮影プリント装置１は、プリント機能を有する２つの画像出力部（第１プリント部３４，第２プリント部３５）を備えている。該第１プリント部３４および第２プリント部３５は、それぞれが写真撮影された画像が印刷されたシート（プリント媒体）を生成する。そのため、利用者は、２枚のシートを取得することができる。該２枚のシートは、異なるプリント部により生成される。そのため、予め各プリント部における様式（例えば、シートのサイズ、シートの種類、プリント方式、インク（顔料、染料など）の種類、シートレイアウトなど）を同じにしておけば、同じ様式のシートを出力し、予め各プリント部における様式を異なるようにしておけば、異なる様式のシートを出力することができる。このように、様式の異同に関係なく、２枚のシートを容易に出力することができ、利用者は、２つのシートを楽しむことができる。
【００４３】
該第１プリント部３４および第２プリント部３５は、装置本体３において、撮影空間５および編集空間６が設けられていない面に設置されている。また、第１プリント部３４および第２プリント部３５には、それぞれ、プリントアウトしたシートを排出するための排出部３４ａ，３５ａが設けられている。利用者は、この排出部３４ａ，３５ａから目的物であるシートを受取る。写真撮影プリント装置１は、装置本体３における該排出部３４ａ、３５ａが備えられている側に、利用者がシートの排出を待機するためのシート排出待機領域７を設けている。
【００４４】
このような構成の写真撮影プリント装置１によれば、撮影処理を行う撮影空間５と、編集処理を行う編集領域６と、シートの排出を待機するシート排出待機領域７とが分離されているため、撮影空間５と編集領域６とシート排出待機領域７とにおいて三重に接客することが可能となり、利用者の回転率を高めることが可能となっている。
【００４５】
図３は、写真撮影プリント装置１の編集領域６が見えない側からの斜視図、図４は、写真撮影プリント装置１の編集領域６が見える側からの斜視図である。図３に示すように、装置本体３には、撮影空間５側において、カメラユニット（撮影部）２、撮影処理用タッチパネル（画像表示部）８、硬貨投入口９が備えられている。また、装置本体３には、被写体を照明する照明装置１６として、蛍光灯、ストロボランプ、反射板（これらは、装置本体３内に設置されているため、図示せず）、および拡散板１１が配備される。また、スピーカ（図示せず）が配備されている。
【００４６】
また、図４に示すように、装置本体３には、編集領域６側において、編集処理用タッチパネル（画像表示部）１２と、タッチペン１３ａ・１３ｂが設けられている。加えて、装置本体３の撮影空間５および編集空間６が設けられていない面には、撮影後のプリントシートが排出される排出部３４ａ，３５ａが設けられている。
【００４７】
なお、写真撮影プリント装置１には、撮影空間５に利用者がいることを撮影空間５の外に向けて表示するためのランプ等が外側に設けられていてもかまわない。また、撮影空間５、編集領域６、シート排出待機領域７に荷物置スペースや荷物掛けフック等が設けられていると、利用者は荷物を視界内に入れることができるので、置き引きを防止することができる。なお、上記設置物の設置位置は特に限定されない。
【００４８】
撮影処理用タッチパネル８は、例えば液晶表示装置などのフラットパネルディスプレイやＣＲＴ（cathode ray tube）等の表示面にタッチセンサを設けて構成されている。この撮影処理用タッチパネル８には、撮影処理における各種メッセージや画像などが表示される。具体的には、撮影処理用タッチパネル８には、デモ画面、オープニング画面、課金処理指示画面、撮影処理における各種操作内容等が表示される。また、撮影時の撮影画面などいわゆるライブビュー画像が表示される。これにより、カメラユニット２に向かって撮影ポーズをとる利用者は、リアルタイムで自身の姿を視認することができ、自身のポーズを確認しながら、撮影処理を行うことができる。
【００４９】
硬貨投入口９は、利用者が料金として所定金額の硬貨を投入するための投入口である。硬貨返却口１０は、釣り銭が生じた場合や、硬貨が投入された後でリセットされた場合に、硬貨を利用者に対して返却するための返却口である。また、装置本体３の内部には、利用者から徴収した硬貨を蓄積する硬貨容器（図示せず）が設けられている。
【００５０】
蛍光灯は、撮影時の照明として機能するとともに、通常時の撮影空間の照明としても機能する。具体的には、蛍光灯は、撮影時にカメラユニット２が撮影するライブビューにおける光量、つまり、利用者が撮影の構図やポーズを考えている期間の光量、を確保する。それとともに、例えば、「きれいな写真がとれそう」という印象を利用者に与えるといったような、照明による撮影空間の演出を行う。蛍光灯は、ここでは、装置本体３内において、カメラユニット２の両側に配備される。
【００５１】
ストロボランプは、撮影時の写真閃光灯として機能するものであり、装置本体３内において、カメラユニット２の両側に配備される。
【００５２】
反射板は、蛍光灯やストロボランプからの光をその反射するよう機能するものであり、光を拡散板１１の方向に導くように設置される。反射板は、反射面が、例えばステンレス等から構成され、形状としては、拡散板１１に光を集められるような形状であればいよい。
【００５３】
拡散板１１は、反射板にて反射された光を拡散して撮影空間に出射するよう機能するものである。拡散板１１は、例えば、薄い乳白色のアクリル板などによって構成されている。形状としては、本実施形態では、発光面が略平面状となっており、また、鉛直方向に長い長方形である。
【００５４】
また、必要に応じて、照明装置１６からの光量が変化したり、照明方向が変更したりするようになっている。
【００５５】
スピーカは、利用者に対して各種操作上のガイダンス音声や効果音、ＢＧＭ（back ground music）などを出力するものである。
【００５６】
背景シート４は、撮影の背景を演出するものである。なお、背景シート４は、切り替え可能に構成されている。つまり、撮影処理時において、撮影における背景を利用者の好みに応じて演出でききるよう、背景シート４を切り替えることができるようになっている。例えば様々な色、あるいは様々な絵柄や模様の背景シート４を複数枚背景となる位置に用意しておき、これらを切り替えることによって、利用者の好みに応じた背景を演出することを可能とする。この背景シート４は、モータによって機械制御によって切り替え可能な、つまりモータ式となっていてもよいし、利用者がめくったりスライドさせたりすることによって切り替え可能な、つまり手動式になっていてもよい。
【００５７】
編集処理用タッチパネル１２は、装置本体３の編集領域６側に設けられており、例えば液晶表示装置などのフラットパネルディスプレイやＣＲＴ（cathode ray tube）等の表示面にタッチセンサを設けて構成されている。編集処理用タッチパネル１２は、落書きなどの編集処理における各種メッセージや画像などを表示する。具体的には、編集処理用タッチパネル１２には、落書きなどの画像編集処理時における編集対象の画像および各種編集ツールなどが表示される。
【００５８】
そして、編集処理用タッチパネル１２の近傍（図４では編集処理用タッチパネル１２の左右）には、タッチペン１３ａ・１３ｂが備えられている。利用者は、このタッチペン１３ａ・１３ｂを編集処理用タッチパネル１２に接触させることによって、処理の進行に応じて表示されるボタンを選択したり、落書きなどの画像描画を行ったりすることが可能となる。ここで、図４に示すように、装置本体３には、タッチペン１３ａ・１３ｂが、２つ設置されていることにより、２人利用者が同時に落書き処理などを入力することができる。
【００５９】
あるいは、装置本体３には、編集処理用タッチパネル１２ａ・１２ｂおよびタッチペン１３ａ・１３ｂが２組並設されていてもよい。この場合に、２つの編集処理用タッチパネル１２ａ・１２ｂにそれぞれに表示された撮影画像に、２人の利用者が同時に落書き処理などを入力することができる。なお、このように編集処理用タッチパネル１２ａ・１２ｂが２つあり、異なる画像をそれぞれ表示させることができると、利用者は、別々の画像に対して落書き処理などを入力することもできる。また、落書き処理において、一方の編集処理用タッチパネル１２ａから入力された落書き処理を他方の編集処理用タッチパネル１２ｂに反映される反映処理や落書き可能範囲を制限する処理などが行われるようになっていてもよい。
【００６０】
また、編集処理用タッチパネル１２は、撮影画像における明るさ調整を選択させる画面を表示させる。これにより、利用者は、プリントアウトされるシートの明るさを選択することができる。
【００６１】
さらに、編集処理用タッチパネル１２は、利用者に対してシートレイアウトを選択させる画面を表示する。シートレイアウトとは、一枚のシートにプリントする各画像の数、サイズおよび配置である。例えば、編集処理用タッチパネル１２は、数種のシートレイアウトの見本画面が表示し、タッチペン１２の操作により利用者所望のシートレイアウトを選択する。
【００６２】
なお、編集処理用タッチパネル１２近傍にスピーカを設けておき、利用者に編集作業の指示等を与える音声を出力できるようになっていると好ましい。また、編集処理用タッチパネル１２近傍に蛍光灯が設けられていると、編集領域６を明るく照らすことができるため好ましい。また、編集領域６には、専用の囲い、例えば、カーテンが設けられていてもよい。このようなカーテンを設けることにより、他人に編集作業を覗かれることがない。そのため利用者は、落ち着いて編集作業を行うことができる。
【００６３】
（写真撮影プリント装置の機能的説明）
次に、上記写真撮影プリント装置１の機能的な構成について、図１に示すブロック図を参照しながら説明する。同図に示すように、写真撮影プリント装置１は、前記したカメラユニット２、背景シート４、撮影処理用タッチパネル８、編集処理用タッチパネル１２、タッチペン１３ａ・１３ｂ、照明装置１６、第１プリント部３４、及び第２プリント部３５に加えて、制御装置（制御手段）２０、記憶装置３０、外部ディスクドライブ３１、電源装置３２、及び課金処理部３３を備えている。
【００６４】
記憶装置３０は、ハードディスクなどの不揮発性の記憶装置によって構成されるものである。この記憶装置３０に記憶される内容としては、制御装置２０において実行される制御プログラム、ＯＳ（operating system）プログラム、およびその他各種プログラム、カメラユニット２における動作設定値、撮影処理した画像（撮影画像）および画像処理した画像（編集済画像）の画像データなどが挙げられる。カメラユニット２における動作設定値としては、装置出荷時やメンテナンス時などに設定されるホワイトバランスの値、撮影画像の明暗などを調整する際の画像処理に関する各種パラメータ値などが挙げられる。
【００６５】
外部ディスクドライブ３１は、ＣＤ−ＲＯＭ、ＣＤ−Ｒ、ＤＶＤ−ＲＯＭ、ＤＶＤ−ＲＡＭなどの外部ディスクを読み書きするドライブ装置である。外部ディスクドライブ３１の代わりに、半導体メモリカードのリーダ／ライタなどを用いることもできる。
【００６６】
電源装置３２は、写真撮影プリント装置１内における上述した各種構成に対して電力供給を行うためのものである。
【００６７】
課金処理部３３は、硬貨投入口９からの代金投入、及び硬貨返却口１０からの返却処理などを制御するものであり、利用者から徴収する課金に関する処理を行うブロックである。課金処理部２０による課金状況に応じて、制御装置２０が該当利用者に対する動作を制御する。
【００６８】
次に、第１プリント部３４および第２プリント部３５について説明する。
【００６９】
第１プリント部３４と第２プリント部３５とは、それぞれ別々の写真プリントシートを出力することができる。
【００７０】
第１プリント部３４は、ＩＤタグリーダ／ライタ３４１、プリンタ３４２、およびプリント紙ユニット３４３を備えている。同様に、第２プリント部３５は、ＩＤタグリーダ／ライタ３５１、プリンタ３５２、およびプリント紙ユニット３５３を備えている。
【００７１】
ＩＤタグリーダ／ライタ３４１及びプリンタ３４２は、プリンタユニットを構成しており、このプリンタユニットに対して、写真プリントの出力媒体となるプリント紙（プリント媒体）３４５及びＩＤタグ３４４がプリント紙ユニット３４３としてセットで納入されるようになっている。
【００７２】
同様に、ＩＤタグリーダ／ライタ３５１及びプリンタ３５２は、プリンタユニットを構成しており、このプリンタユニットに対して、写真プリントの出力媒体となるプリント紙（プリント媒体）３５５及びＩＤタグ３５４がプリント紙ユニット３５３としてセットで納入されるようになっている。
【００７３】
プリンタ３４２・３５２は、出力すべき画像データが制御装置２０から送られてくると、その画像データに基づいて、それぞれプリント紙３４５・３５５に印刷を行うものである。このプリンタ３４２・３５２としては、例えば、昇華型プリンタ、インクジェット式プリンタ、レーザプリンタ、熱転写型プリンタ、溶融型プリンタ、サーマルプリンタ、印画紙プリンタ、インスタントフィルムプリンタなどが用いられる。なお、昇華型プリンタを用いる場合には、プリント紙３４５・３５５及びＩＤタグ３４４・３５４に加えて、昇華型用インクフィルムがセットとなって納入されることになる。
【００７４】
プリンタ３４２とプリンタ３５２とは、異なる型のプリンタであってもよい。例えば、プリンタ３４２がインクジェット式プリンタであり、プリンタ３５２が昇華型プリンタである。このように、異なる型のプリンタであると、利用者は、異なる画質やサイズの写真プリントシートを得ることができ、それぞれ別の用途に用いることができる。
【００７５】
また、プリンタ３４２とプリンタ３５２とに使用するインク（顔料インク、染料インク）の種類についても、各プリンタで同じであってもよく、異なっていてもよい。異なっている場合、利用者は、インクの違いによる、異なった画質のシートを２枚取得することができる。
【００７６】
ＩＤタグリーダ／ライタ３４１・３５１は、それぞれＩＤタグ３４４・３５４に記録されている各種識別情報を読み出して制御装置３１に出力する。ＩＤタグ３４４・３５４は、メモリ機能を有するＩＣチップなどによって構成されるものである。上記識別情報としては、固有ＩＤ、用紙枚数、用紙種類、及び、インク固有の色情報（インクフィルムがセットとなっている場合）などが挙げられる。
【００７７】
制御装置２０は、ＩＤタグリーダ／ライタ３４１・３５１で読み取った識別情報に基づいて、装着されたプリント紙３４５・３５５及びインクフィルムが、当該写真撮影プリント装置１において利用可能なものであるかを判定し、利用可能である場合にのみプリンタ３４２・３５２を動作可能とする。すなわち、写真撮影プリント装置１において指定されているプリント紙３４５・３５５及びインクフィルム以外は使用できないように設定されていることになる。
【００７８】
また、ＩＤタグ３４４・３５４に記録されている用紙枚数情報に基づいて、プリント紙３４５・３５５を使用するごとに用紙枚数をカウントダウンしていくことによって、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。なお、用紙枚数をカウントダウンする際には、ＩＤタグ３４４・３５４に記録されている用紙枚数情報も書き換えるようにする。これにより、用紙を使い切った場合には、ＩＤタグ３４４・３５４に記録されている用紙枚数情報も０となり、このＩＤタグ３４４・３５４を無効にすることが可能となる。
【００７９】
また、ＩＤタグ３４４・３５４に記録されている用紙種類情報や、インク固有の色情報を読み出すことによって、これらを考慮して画像データの色成分などを補正することにより、その用紙やインクフィルムに的確な画像出力を行うことが可能となる。
【００８０】
ＩＤタグ３４４・３５４としては、無線によりデータ通信を行うことが可能な非接触型ＩＤタグと、端子が設けられた接触型ＩＤタグとがあり、ＩＤタグリーダ／ライタ３４１・３５１としては、これらのどちらか一方あるいは両方に対応したものとなる。
【００８１】
なお、上記の例では、ＩＤタグを利用して利用可能なプリント紙であるか否かを確認するようになっているが、これに限定するものではなく、例えば、プリント紙及びインクフィルムを梱包する梱包材などにプリントされているバーコードなどを利用して確認するような構成としてもよい。しかしながら、バーコードを用いる場合には、含めることのできる情報量が少ないことや、例えば用紙枚数のカウントダウンによる情報の書き換えができない、などの問題がある。
【００８２】
なお、上記のプリント紙３４５・３５５としては、通常の紙状媒体である紙状シートであってもよいし、粘着シート及び該粘着シールの粘着面に貼り付けられている剥離シートからなるシールシートであってもよい。また、プリント紙３４５とプリント紙３５５とが、異なるシートであってもよい。例えば、プリント紙３４５が紙状シートであり、プリント紙３５５がシールシートであってもよい。これにより、利用者は、２種のシートを得ることができ、それぞれのシールに応じた活用をすることができる。また、一方のシートを紙状シートとすることで、利用者は、他方のシールシートをわざわざカラーコピーする必要がなくなる。
【００８３】
つぎに、制御装置２０について説明する。制御装置２０は、写真撮影プリント装置１内における上述した各種構成の動作を統括的に制御する。また、制御装置２０は、落書き等の編集処理を実行する画像処理部２２と、シートレイアウト等を選択し、第１プリント部３４および第２プリント部３５におけるプリント処理を実行する出力処理部（画像出力制御手段）２３と、撮影処理を行う撮影処理部２４とを備えている。
【００８４】
制御装置２０は、例えばＰＣベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置２０がインターネットなどの通信ネットワークに接続された構成とする場合、この通信ネットワークを介して上記プログラムをダウンロードしてハードディスクなどにインストールして実行する形態なども考えられる。
【００８５】
撮影処理部２４は、課金処理部３３が所定の貨幣が投入されたことを検出すると、撮影処理を開始する。撮影処理部２４は、撮影処理用タッチパネル８に、撮影モードを選択させる画面を表示させる。撮影モードとしては、例えば、全身を撮影する全身モードや、顔だけを撮影するアップモードがある。また、撮影処理部２４は、撮影処理用タッチパネル８に、撮影時の明るさを選択できる明るさ調整画面を表示させてもよい。
【００８６】
撮影処理部２４は、撮影処理用タッチパネル８に入力された撮影モードに応じて、照明装置１６、背景シート４およびカメラユニット２を駆動させ、被写体を撮影し、撮影した撮影画像を撮影処理用タッチパネル８に表示させる。ここで、撮影処理部２４は、該撮影画像でよいかどうかを利用者に対して確認させる。該撮影画像でよい旨の入力がされると、撮影処理部２４は、該撮影画像を記憶装置３０に格納する。該撮影画像でよくない旨の入力がされると、撮影処理部２４は、再度、撮影を行う。
【００８７】
また、撮影処理部２４は、複数回、撮影を行い、各撮影画像を記憶装置３０に格納することができる。
【００８８】
さらに、撮影処理部２４は、図示しないタイマーと接続されており、所定時間で撮影処理を終了する。撮影処理用タッチパネル８から撮影終了指示信号がある場合、撮影処理部２４は、上記所定時間内であっても、撮影処理を終了する。撮影処理を終了すると、撮影処理部２４は、画像処理部２２に対して、画像処理を開始する旨の画像処理開始信号を出力する。
【００８９】
画像処理部２２は、撮影画像に対して落書き等の編集処理を行うためのものである。画像処理部２２は、撮影処理部２４から画像処理開始信号を受けると、編集処理を開始する。画像処理部２２は、記憶装置３０に格納された各撮影画像データを読み出し、読み出した撮影画像とともに落書きや明るさ調整等の処理のためのツール類を編集処理用タッチパネル１２に表示させる。そして、画像処理部２２は、編集処理用タッチパネル１２に入力された落書き等の画像と撮影画像とを合成する。また、画像処理部２２は、明るさ調整が入力された場合には、撮影画像の明るさを調整する。画像処理部２２は、合成した画像を編集済画像として記憶装置３０に格納する。
【００９０】
画像処理部２２は、図示しないタイマーと接続されており、所定時間で画像編集処理を終了する。なお、編集処理用タッチパネル１２から編集終了指示信号がある場合、画像処理部２２は、上記所定時間内であっても、画像編集処理を終了する。画像編集処理を終了すると、画像処理部２２は、合成した画像を編集済画像として記憶装置３０に格納するとともに、出力処理部２３に対して、画像出力を開始する旨の画像出力開始信号を出力する。
【００９１】
出力処理部２３は、第１プリント部３４におけるプリントアウト処理を実行する第１プリント処理部２３１と、第２プリント部３５におけるプリントアウト処理を実行する第２プリント処理部２３２とを備えている。
【００９２】
画像処理部２２から画像出力開始信号を受けると、まず第１プリント処理部３４が、プリントアウト処理を開始する。具体的には、第１プリント処理部３４は、記憶装置３０に格納された編集済画像を読み出し、読み出した編集済画像とともに、数種のシートレイアウトを編集処理用タッチパネル１２に表示させる。第１プリント処理部３４は、編集処理用タッチパネル１２に入力されたシートレイアウトを選択する。そして、第１プリント処理部３４は、第１プリント部３４に対して、選択したシートレイアウトのプリントを開始させるとともに、第２プリント処理部２３２に対して、第２プリント処理開始信号を出力する。
【００９３】
第２プリント処理部２３２は、第２プリント処理開始信号を受けると、プリントアウト処理を開始する。なお、第２プリント処理部２３２におけるプリントアウト処理は、第１プリント処理部２３１における処理と同様である。
【００９４】
なお、図示しないが、出入り口用に設けられた遮光幕（出入り口用カーテン）が制御装置２０によって制御されるような構成でもよい。出入り口カーテンは、撮影処理時において外部からの光が撮影空間内に入ってくることを防ぐために設けられており、遮光性を有するシートなどによって構成されるものである。そして、制御装置２０は、例えば、出入り口カーテンの開閉を次のように制御する。
【００９５】
まず、ゲームアイドル時（客待ち状態）においては、出入り口カーテンを開放した状態に制御する。そして、利用者が撮影空間内に入り、所定の金額の投入が行われたことを課金処理部３３が確認すると、この時点で出入り口カーテンを閉じる制御を行う。このとき、例えば、撮影空間５に利用者がいることを撮影空間５の外に向けて知らせるための、接客ランプを点灯させてもよい。接客ランプは、例えば、撮影空間５に利用者がいる間には、撮影中との文字が点灯し、撮影空間５から利用者がいなくなれば、その文字が消灯するようになっていればよい。その後、制御装置２０は、撮影処理、及び編集処理が終了したことが確認されると、この時点で出入り口カーテンを開放する制御を行う。
【００９６】
また、出入り口カーテンが開放されているべき状態である時に利用者によって無理矢理カーテンが閉められようとされた場合や、出入り口カーテンが閉じられているべき状態である時に利用者によって無理矢理カーテンが開けられようとした場合には、周囲に聞こえるような音量で警報を発するとともに、ゲームの進行を停止するように制御するようになっていてもよい。このようにすることによって、密閉空間での犯罪を防止したり、写真撮影プリント装置１に対するいたずらを防止したりすることができる。
【００９７】
また、図示しないが、上述した荷物置きスペースや荷物フックに、例えば重量センサなどを設けた構成としてもよい。この場合、利用者がこの荷物置きスペースに荷物を置いたり、荷物フックに荷物をかけたりすると、荷物が置かれたことを装置側で認識することが可能となる。よって、例えば撮影や編集終了後、所定の時間が経過した後も荷物が置かれた状態となっている場合には、利用者が荷物を忘れていることが予想されるので、利用者に対して荷物の置き忘れの警報を発することが可能となる。また、撮影や編集進行中において、荷物が取り除かれたことを検出した場合には、利用者が遊戯に夢中になっている間に置き引きが行われたことが予想されるので、警報を発することが可能となる。
【００９８】
（処理の流れ）
次に、本実施形態の写真撮影プリント装置１にかかる処理の流れについて、図５に示すフローチャートを参照しながら説明する。まず、ステップ１（以降、Ｓ１のように称する）において、硬貨の投入があるか否かの確認を行う。ここで、利用者による硬貨投入口９から硬貨の投入があることを確認すると（Ｓ１においてＹＥＳ）、次のＳ２に進む。ここで、硬貨の投入を確認できない場合には（Ｓ１においてＮＯ）、硬貨の投入を待つ。すなわち、客待ち状態を維持する。この客待ち状態では、例えば、撮影処理用タッチパネル８にデモ画面等を表示させておいてもよい。
【００９９】
Ｓ２では、撮影処理が行われる。この撮影処理では、背景シート４の選択や実際の撮影処理などが行われる。ここで、利用者は、撮影処理用タッチパネル８のライブビュー画像を確認しながら、自分の立ち位置やポーズなどを考え、準備が整い次第、撮影開始指示を行うことによって撮影が行われる。
【０１００】
そして、Ｓ３において、Ｓ２における撮影開始からの経過時間が設定時間（ここでは、２分）を超えたか否かを判断する。超えていない場合には（Ｓ３においてＮＯ）、Ｓ２における撮影処理が繰り返し行われる。なお、ここでは、経過時間が２分をオーバーした場合に撮影処理の終了を行う設定になっているが、例えば、撮影枚数が累積限度になった場合や、利用者によって撮影処理の終了指示が出されることにより、撮影処理が終了されるようになっていてもよい。
【０１０１】
一方、経過時間が２分を超えたことが確認されると（Ｓ３においてＹＥＳ）、撮影処理部２４は、撮影処理を終了し、撮影画像データを記憶装置３０に格納するとともに、画像処理部２２に画像処理開始信号を出力する。また、このとき、撮影処理部２４は、撮影処理用タッチパネル８に、利用者を編集領域６に移動する案内を表示する。
【０１０２】
次に、Ｓ４において、画像処理部２２は、記憶装置３０から編集対象となる撮影画像を読み出し、編集処理用タッチパネル１２に該撮影画像を表示させる。このとき、画像処理部２２は、編集対象となる撮影画像を選択するための選択画面、すなわち、全ての撮影画像から一つを選択させる画面を表示させてもよい。利用者は、タッチペンによって選択する撮影画像（選択画像）をタッチすることによって、中央に編集対象として表示される撮影画像を切り替えることが可能となっていてもよい。なお、この選択画像は、上記の撮影処理において、複数回の撮影が行われた場合の各撮影時における画像に相当するものである。
【０１０３】
次に、Ｓ５において、編集処理用タッチパネル１２に表示された編集対象となる画像に対して、タッチペン１３ａ・１３ｂを用いた落書きや明るさ調整などの編集処理が行われる。画像処理部２２は、編集処理用タッチパネル１２に入力された明るさに従って調整した撮影画像データと、タッチペン１３ａ・１３ｂにより書かれた落書き等に関する落書き画像データとを合成し、合成した編集済画像データを作成する。
【０１０４】
なお、編集処理用タッチパネル１２に表示される画像には、例えば図６に示されるように、編集処理を行うためのツール類の選択領域が表示されてもよい。ツール類としては、例えば複数の種類からなるペンおよびその色、消しゴム、および複数のスタンプや、数段階の明るさを示す明るさ調整ツールなどが挙げられる。
【０１０５】
そして、Ｓ６において、Ｓ４における編集開始からの経過時間が設定時間（ここでは、２分）を超えたか否かを判断する。超えていない場合には（Ｓ６においてＮＯ）、Ｓ４〜Ｓ５における編集処理が繰り返し行われる。なお、ここでは、経過時間が２分をオーバーした場合に編集処理の終了を行う設定になっているが、例えば、全ての撮影画像に対する
編集処理が終了した場合や、利用者によって編集処理の終了指示が出されることにより、編集処理が終了されるようになっていてもよい。
【０１０６】
一方、経過時間が２分を超えたことが確認されると（Ｓ６においてＹＥＳ）、画像処理部２２は、編集処理を終了し、作成した編集済画像データを記憶装置３０に格納するとともに、出力処理部２３に対して、画像出力を開始する旨の画像出力開始信号を出力する。
【０１０７】
続けて、Ｓ７において、第１プリント部３４における印刷条件設定が行われる。出力処理部２３が画像出力開始信号を受けると、第１プリント処理部２３１は、第１プリント部３４におけるプリントアウト処理を開始する。第１プリント処理部２３１は、記憶装置３０から編集済画像データを読み出し、読み出した編集済画像とともに数種のシートレイアウトを編集処理用タッチパネル１２に表示させる。
【０１０８】
このとき、第１プリント処理部２３１は、第１プリント部３４がプリントアウトする写真プリントに関する情報を編集処理用タッチパネル１２に表示させる。例えば、第１プリント部３４が備えるプリンタ３４２がインクジェット型プリンタであり、プリント紙が名刺サイズの通常紙である場合、第１プリント処理部２３１は、「１枚目は名刺サイズの紙だよ。レイアウトを選択してね。」のような文を記した画面を編集処理用タッチパネル１２に表示させる。これにより、利用者は、１枚目の名刺サイズの紙における所望のシートレイアウトを選択することができる。
【０１０９】
そして、第１プリント処理部２３１は、編集処理用タッチパネル１２に入力された選択シートレイアウトを基に、編集済画像の配置の印刷条件設定を行う。
【０１１０】
そして、Ｓ８において、Ｓ７における印刷条件設定処理の開始からの経過時間が設定時間（ここでは、１分）を超えたか否かを判断する。超えていない場合には（Ｓ８においてＮＯ）、第１プリント処理部２３１は、未だ印刷条件設定が決定されていないものと判断し、Ｓ７における印刷条件設定処理を続ける。なお、ここでは、経過時間が１分をオーバーした場合に印刷条件設定処理の終了を行う設定になっているが、利用者によって印刷条件設定処理の終了指示が出されることにより、印刷条件設定処理が終了されるようになっていてもよい。
【０１１１】
一方、経過時間が１分を超えたことが確認されると（Ｓ８においてＹＥＳ）、第１プリント処理部２３１は、シートレイアウトに関して設定した印刷条件設定および編集済画像データを第１プリント部３４に出力するとともに、第２プリント処理部２３２に第２プリント処理開始信号を出力する。
【０１１２】
その後、第１プリント部３４における第１印刷出力Ｓ９と、第２プリント処理部２３２および第２プリント部３５における処理Ｓ１０〜Ｓ１２とが並行して行われる。
【０１１３】
Ｓ９において、印刷条件設定および編集済画像データが入力された第１プリント部３４は、取得した印刷条件設定のシートレイアウトに従って、編集済画像データをプリントアウトし、排出部３４ａからシートを排出する。
【０１１４】
一方、Ｓ１０において、第１プリント処理部２３１から第２プリント処理開始信号を受けると、第２プリント処理部２３２は、第２プリント部３５におけるプリントアウト処理を開始する。Ｓ７の処理と同様に、第２プリント処理部２３２は、記憶装置３０から編集済画像データを読み出し、読み出した編集済画像とともに数種のシートレイアウトを編集処理用タッチパネル１２に表示させる。また、第２プリント処理部２３２は、第２プリント部３４がプリントアウトする写真プリントに関する情報を編集処理用タッチパネル１２に表示させる。そして、第２プリント処理部２３２は、編集処理用タッチパネル１２に入力された選択シートレイアウトを基に、編集済画像の配置の印刷条件設定を行う。
【０１１５】
次に、Ｓ１１において、Ｓ１０における印刷条件設定処理の開始からの経過時間が設定時間（ここでは、１分）を超えたか否かを判断する。上記Ｓ８の処理と同様に、超えていない場合には（Ｓ８においてＮＯ）、第２プリント処理部２３２は、Ｓ１０における印刷条件設定処理を続ける。なお、利用者によって印刷条件設定処理の終了指示が出されることにより、印刷条件設定処理が終了されるようになっていてもよい。
【０１１６】
一方、経過時間が１分を超えたことが確認されると（Ｓ８においてＹＥＳ）、第２プリント処理部２３２は、シートレイアウトに関して設定した印刷条件設定および編集済画像データを第２プリント部３５に出力する。また、このとき、第２プリント処理部２３２は、編集処理用タッチパネル１２に、利用者をプリント排出待機領域７に移動する案内を表示する。
【０１１７】
そして、Ｓ１２において、印刷条件設定および編集済画像データが入力された第２プリント部３５は、取得した印刷条件設定のシートレイアウトに従って、編集済画像データをプリントアウトし、排出部３５ａからシートを排出する。
【０１１８】
Ｓ９およびＳ１０〜１２の並行処理が終了すると、写真撮影プリント装置１は、一連の処理を終了する。
【０１１９】
以上のように、本実施形態の写真撮影プリント装置１は、上記Ｓ１〜Ｓ１２からなる一連の処理を、各利用者に対して繰り返し行う。すなわち、該Ｓ１〜Ｓ１２の一連の処理が、１回のプレイに該当する。そして、写真撮影プリント装置１は、１回のプレイにおいて、２つの画像出力部（第１プリント部３４と第２プリント部３５）の各々にシートを出力させるように制御する出力処理部２３を備えている。これにより、利用者は、１回のプレイで、少なくとも２枚のプリント媒体を取得することができる。
【０１２０】
また、利用者は、第１プリント部３４がプリントアウトしたプリントシートと、第２プリント部３５がプリントアウトしたプリントシートとの２つのプリントシートを受取ることができる。第１プリント部３４と第２プリント部３５との印刷条件設定は、それぞれＳ７とＳ１０とで行われる。そのため、利用者は、少なくともシートレイアウトの異なる２種のシートを取得できる。
【０１２１】
また、第１プリント部３４および第２プリント部３５のプリントアウトするシートのサイズや紙種を異なるものとすることで、利用者は、異なるサイズや紙種のプリントシートを取得することができ、用途に合わせて、取得した各シートを使い分けることができる。
【０１２２】
例えば、第２プリント部３５におけるプリント紙３５５のサイズを、第１プリント部３４におけるプリント紙３４５よりも小型とする。これにより、第２プリント部３５に必要とされるプリント紙３５５やインク等に要するコストを抑えることができる。この場合、写真撮影プリント装置１は、第２プリント部３５からプリントアウトされるシートをサービスシート（おまけシート）として出力する。利用者は、おまけシートを取得することができるため、得した気分となる。これにより、集客率を向上させることができる。
【０１２３】
また、例えば、第２プリント部３５におけるプリント紙３５５をシールシートではなく、通常の紙状シートとし、第１プリント部３４におけるプリント紙３４５をシールシートとする。従来、利用者は、気に入ったシールシートを別のカラーコピー機等で複写し、該コピーした複写物を残していた。しかしながら、上記の場合、利用者は、シールシートとともに、紙状シートも取得することができる。その結果、利用者は、わざわざシールシートを別のカラーコピー機で複写する必要がなくなる。この場合、紙状シートに要するコストは、シールシートに比べて低いため、コストを削減することができ、紙状シートをサービスシートとして提供できる。
【０１２４】
なお、予め各画像出力部（第１プリント部３４および第２プリント部３５）における様式を同じにしておけば、同じ様式のシートを出力することが可能である。このように、様式の異同に関係なく、複数のシートを容易に出力することができる。
【０１２５】
また、Ｓ９における第１印刷出力の終了時間と、Ｓ１２における第２印刷出力の終了時間とをほぼ同じにすることが好ましい。これにより、利用者は、２枚のプリントシートを同時に取得することができ、一方のプリントシートの待ち時間による不快感を抑制することができる。また、一方のプリントシートのみを取得し、他方のプリントシートを取り忘れるという問題もなくなる。
【０１２６】
もしくは、印刷終了のタイミングがほぼ同一でない場合、各シートカット（プリントシートの切断処理）のタイミングをほぼ同一にするようにしてもよい。これにより、２枚のプリントシートは、ほぼ同時に排出部３４ａ・３５ａから排紙されるため、上記と同様の効果を得ることができる。
【０１２７】
図５に示したように、第１プリント部３４が印刷処理を開始できる時間は、第２プリント部３５が印刷処理を開始できる時間よりも早い。そのため、Ｓ９における第１印刷出力の終了時間と、Ｓ１２における第２印刷出力の終了時間とをほぼ同じにするために、先にプリントアウトを行う第１プリント部３４にプリントアウトに要する時間が比較的長いプリンタやプリント紙を設置し、後にプリントアウトを行う第２プリント部３５にプリントアウトに要する時間が比較的短いプリンタやプリント紙を設置することが好ましい。これにより、Ｓ９とＳ１０〜１２との並行処理に要する時間をより一層短くすることができる。
【０１２８】
また、第１プリント部３４と第２プリント部３５とのプリントアウト処理は並行して行われる。そのため、本実施形態の写真撮影プリント装置１は、プリンタ１台のみを設け、１枚のシートを排出する従来の写真撮影プリント装置の利用時間とほぼ同じでありながら、２枚のシートを排出することができる。また、本実施形態の写真撮影プリント装置１は、プリンタ１台で連続してシートを印刷する特許文献２に記載の構成と比べて、同サイズの２枚を印刷する場合、利用時間を短くすることができる。
【０１２９】
なお、本実施形態において、第１プリント部３４で印刷されたシートが排出部３４ａから、第２プリント部３５で印刷されたシートが排出部３４ａから排出されるとした。しかしながら、これに限らず、第１プリント部３４および第２プリント部３５で印刷されたシートが、共通の排出部から排出されてもよい。この場合、２枚のシートが同じ出口から排出されるため、利用者がシートを取り忘れるということがなくなる。また、出口が一つになるため、写真撮影プリント装置の外観がシンプルとなる。
【０１３０】
また、本実施形態において、第１プリント処理部２３１および第２プリント処理部２３２は、記憶装置３０から編集済画像データを読み出し、該編集済画像を第１プリント部３４および第２プリント部３５で出力させる構成とした。しかしながら、これに限らず、第１プリント処理部２３１または第２プリント処理部２３２が、記憶装置３０から撮影画像データを読み出し、撮影画像を第１プリント部３４または第２プリント部３５で出力させてもよい。これにより、利用者は、落書き等の編集を行ったシートと、編集の無いシートとの２種のシートを取得することができ、編集無のシンプルな画像と、編集有の賑やかな画像との両方を楽しむことができる。また、編集無の撮影画像を印刷する側のプリント部は、落書き等の画像を印刷する必要がないため、比較的コストの安いプリンタやプリント紙で構成することができる。
【０１３１】
なお、この場合、第２プリント処理部２３２が、記憶装置３０から撮影画像データを読み出し、該撮影画像を第２プリント部３５で出力させることが好ましい。第２プリント部３５は、落書き等の画像を印刷する必要がないので、プリントアウトに要する時間が短い。これにより、Ｓ９とＳ１０〜１２との並行処理に要する時間をより一層短くすることができる。
【０１３２】
また、この場合、第１プリント処理部２３１および第２プリント処理部２３２は、同じシートレイアウトを選択してもよい。これにより、Ｓ１０およびＳ１１の処理を省略することができ、利用時間の短縮が図れる。
【０１３３】
本実施形態では、写真撮影プリント装置１が、必ず２枚のシートを排出する構成とした。しかしながら、利用者によっては、１枚のみでよい場合もある。そこで、１枚排出するか２枚排出するかを選択できるようになっていてもよい。１枚のみ排出する場合には、Ｓ１０〜Ｓ１２の処理を停止すればよい。なお、１枚排出するか２枚排出するかは、硬貨投入口９に投入された金額に基づいて課金処理部３３により判断されてもよい。
【０１３４】
また、第２プリント部３５における印刷条件設定処理Ｓ１０の前に、貨幣投入の有無を確認するステップを備え、該ステップにおいて貨幣が投入されたことを検知した場合にのみ、Ｓ１０の処理に進むこととしてもよい。これにより、第２プリント部３５における印刷に要するコストを徴収することができるとともに、第２プリント部３５における印刷シートを必要としない利用者は、余分な貨幣を投入しなくてもよくなる。
【０１３５】
また、本実施形態では、写真撮影プリント装置１が、第１プリント部３４および第２プリント部３５の２つのプリント部を備える構成とした。しかしながら、これに限らず、プリント部は複数（２以上の整数）であればよい。複数のプリント部から並行してシートが排出されることで、写真撮影プリント装置は、利用時間を増やすことなく、複数のシートを排出することができる。
【０１３６】
また、本実施形態では、第１プリント部３４および第２プリント部３５から出力されるシートが、シートレイアウトの異なるシートであるとした。しかしながら、これに限られず、第１プリント部３４および第２プリント部３５から出力されるシートが、明るさ調整や落書き等の様式が異なるシートであってもよい。この場合、Ｓ１０の処理の前または後において、第２プリント部３５で印刷されるシートの落書きや明るさ等の編集処理を行えばよい。
【０１３７】
〔実施形態２〕
従来、撮影時に設定した絞りやフラッシュの明るさの調整および編集時に設定した明るさの調整が妥当であるか否かについて、表示画面上では確認可能である。しかしながら、印刷結果は、表示画面と全く同一というわけではないため、上記調整が妥当であるか否かの確認が困難であった。
【０１３８】
そこで、本実施形態の写真撮影プリント装置１０１は、試し印刷を行い、該試し印刷されたシートを利用者に確認させた上で、本印刷を行う。
【０１３９】
本実施形態の写真撮影プリント装置１０１について、図７〜図１０に基づいて説明すれば、以下のとおりである。なお、説明の便宜上、前記実施形態１にて説明した図面と同じ機能を有する部材については、同じ符号を付記し、その説明を省略する。
【０１４０】
図７は、本実施形態に係る写真撮影プリント装置１０１の上からの断面図である。図７に示すように、写真撮影プリント装置１０１は、上記実施形態１と比較して、第１プリント部３４およびその排出部３４ａが装置本体３の編集領域６側に設けられている点で異なる。
【０１４１】
写真撮影プリント装置１０１は、第１プリント部３４およびその排出部３４ａで、試し印刷およびその排出を行い、第２プリント部３５およびその排出部３５ａで、本印刷およびその排出を行う。
【０１４２】
次に、写真撮影プリント装置１０１の機能的な構成について、図８に示すブロック図を参照しながら説明する。同図に示すように、写真撮影プリント装置１０１は、上記実施形態１と比較して、出力処理部２３の代わりに出力処理部１２３を備える点で異なる。
【０１４３】
なお、本実施形態の撮影処理部２４は、撮影処理が終了すると、画像処理部２２に対して画像処理開始信号を出力する代わりに、出力処理部１２３が備える試し印刷処理部２３３（後述する）に対して試し印刷を開始するための試し印刷開始信号を出力する。
【０１４４】
また、本実施形態の画像処理部２２は、撮影処理部２４からではなく、試し印刷処理部２３３から画像処理開始信号を受け、編集処理が終了すると、画像出力開始信号を出力処理部１２３の本印刷処理部２３４（後述する）に出力する。
【０１４５】
また、本実施形態の第１プリント部３４は、試し印刷処理を行うものであり、第２プリント部３５は、本印刷処理を行うものである。第１プリント部３４は、一つの撮影画像をプリントアウトするだけであり、第２プリント部３５と比べて小型サイズのシートに対してプリントアウト処理を行う。よって、第１プリント部３４におけるプリントアウトに要する時間は、第２プリント部３５と比べて短くなる。なお、本実施形態の第１プリント部３４は、試し印刷処理を終了すると、その旨を示す試し印刷終了信号を試し印刷処理部２３３に出力する。
【０１４６】
出力処理部１２３は、試し印刷処理部２３３と本印刷処理部２３４とを備えている。
【０１４７】
試し印刷処理部２３３は、試し印刷を行う画像を選択し、選択した画像を第１プリント部３４に出力させるためのものである。試し印刷処理部２３３は、撮影処理部２４から試し印刷開始信号を受けると、記憶装置３０から撮影画像データを読み出し、読み出した撮影画像を撮影処理用タッチパネル８に表示させるとともに、いずれの撮影画像を試し印刷するか選択させる画面を表示させる。試し印刷処理部２３３は、選択された撮影画像の撮影画像データを第１プリント部３４に出力し、第１プリント部３４に対して、該撮影画像の試し印刷を行わせる。そして、試し印刷処理部２３３は、第１プリント部３４から、試し印刷の終了を示す試し印刷終了信号を受け、その後、画像処理部２２に対して、画像処理開始信号を出力する。
【０１４８】
本印刷処理部２３４は、画像処理部２２から画像出力開始信号を受けると、プリントアウト処理を開始する。なお、本印刷処理部２３４におけるプリントアウト処理は、上記第１プリント処理部２３１または第２プリント処理部２３２における処理と同様である。
【０１４９】
次に、本実施形態の写真撮影プリント装置１０１にかかる処理の流れについて、図９に示すフローチャートを参照しながら説明する。まず、上記実施形態１と同様に、Ｓ１において、硬貨の投入があるか否かの確認処理を行う。
【０１５０】
次に、Ｓ２１において、撮影モードの選択処理を行う。すなわち、撮影処理部２４は、撮影処理用タッチパネル８に、撮影モードを選択させる旨の撮影モード選択画面を表示させる。例えば、撮影処理部２４は、図１０に示すような、撮影モードとして全身を写す全身モードと顔を中心に写すアップモードとのうち、いずれかを選択させる撮影モード選択画面を表示させる。
【０１５１】
撮影モードの選択入力が撮影処理用タッチパネル８にされると、Ｓ２２において、撮影処理部２４は、選択された撮影モードで被写体を撮影する処理を行う。ここで、利用者は、撮影処理用タッチパネル８のライブビュー画像を確認しながら、自分の立ち位置やポーズなどを考え、準備が整い次第、撮影開始指示を行うことによって撮影が行われる。
【０１５２】
そして、Ｓ２３において、Ｓ２１における撮影モード選択処理の開始からの経過時間が設定時間（ここでは、２分）を超えたか否かを判断する。超えていない場合には（Ｓ２３においてＮＯ）、Ｓ２１およびＳ２２における撮影処理が繰り返し行われる。なお、例えば、撮影枚数が累積限度になった場合や、利用者によって撮影処理の終了指示が出されることにより、撮影処理が終了されるようになっていてもよい。
【０１５３】
一方、経過時間が２分を超えたことが確認されると（Ｓ３においてＹＥＳ）、撮影処理部２４は、撮影処理を終了し、撮影画像データを記憶装置３０に格納する。また、それとともに、撮影処理部２４は、試し印刷処理部２３３に試し印刷開始信号を出力する。
【０１５４】
次に、Ｓ２４において、試し印刷開始信号を受けた試し印刷処理部２３３は、記憶装置３０から撮影画像データを読み出し、読み出した撮影画像を撮影処理用タッチパネル８に表示させるとともに、いずれの撮影画像を試し印刷するか選択させる画面を表示させる。これにより、試し印刷処理部２３３は、編集処理用タッチパネル１２から選択された試し印刷用の撮影画像を特定する。
【０１５５】
次に、Ｓ２５において、試し印刷処理部２３３は、選択された試し印刷用の撮影画像データを第１プリント部３４に出力する。このとき、試し印刷処理部２３３は、撮影画像データを数段階の明るさで調整し、全段階の明るさ調整済の撮影画像データを第１プリント部３４に出力する。
【０１５６】
該撮影画像データが入力された第１プリント部３４は、取得した撮影画像データをプリントアウトし、排出部３４ａから試し印刷シートを排出する。排出された試し印刷シートには、全段階で明るさ調整された画像が形成されている。すなわち、明るさ調整が５段階である場合、試し印刷シートには、１〜５段階で明るさ調整された５つの画像がしめされている。
【０１５７】
第１プリント部３４は、プリントアウト処理が終了すると、試し印刷処理部２３３に対して試し印刷終了信号を出力する。試し印刷処理部２３３は、第１プリント部３４から、試し印刷の終了を示す試し印刷終了信号を受け、その後、画像処理部２２に対して、画像処理開始信号を出力する。また、このとき、試し印刷処理部２３３は、撮影処理用タッチパネル８に、利用者を編集領域６に移動する案内を表示するとともに、排出部３４ａに試し印刷されたプリントシールが排紙されていることを通知する画面を表示する。
【０１５８】
これにしたがって、利用者は、編集領域６に移動し、排出部３４ａから試し印刷されたプリントシール（試し印刷シート）を受取る。利用者は、受取った試し印刷シートを確認することで、どの段階の明るさ調整が適当であるかを理解することができる。
【０１５９】
次に、Ｓ２６において、画像処理部２２は、編集処理用タッチパネル１２に編集画面（例えば、図６のような画面）を表示させて、編集処理を行う。なお、編集処理は、上記実施形態１におけるＳ４およびＳ５と同様である。ここで、利用者は、すでに取得した試し印刷シートを見ながら、画像の明るさ等を所望のものに変更することができる。例えば、試し印刷シートにおいて、２段階の明るさ調整が妥当であると感じた利用者は、図６のような画面で、明るさ調整を２段階目のものを選択することができる。このように、画像処理部２２は、利用者の操作に応じて、画像を生成するための生成条件である明るさ調整を設定する設定手段であるといえる。
【０１６０】
そして、Ｓ２７において、Ｓ２６における編集開始からの経過時間が設定時間（ここでは、２分）を超えたか否かを判断する。超えていない場合には（Ｓ２７においてＮＯ）、Ｓ２６における編集処理が繰り返し行われる。なお、ここでは、経過時間が２分をオーバーした場合に編集処理の終了を行う設定になっているが、例えば、全ての撮影画像に対する編集処理が終了した場合や、利用者によって編集処理の終了指示が出されることにより、編集処理が終了されるようになっていてもよい。一方、経過時間が２分を超えたことが確認されると（Ｓ２７においてＹＥＳ）、画像処理部２２は、編集処理を終了し、作成した編集済画像データを記憶装置３０に格納するとともに、本印刷処理部２３２に対して、画像出力を開始する旨の画像出力開始信号を出力する。
【０１６１】
続けて、Ｓ２７において、本印刷処理部２３４は、シートレイアウト等の印刷条件設定を行い、設定した印刷条件で第１プリント部３４にプリントシートを出力させる。また、このとき、本印刷処理部２３４は、編集処理用タッチパネル１２に、利用者をプリント排出待機領域７に移動する案内を表示する。これにより、写真撮影プリント装置１０１は、一連の処理を終了する。
【０１６２】
以上のように、本実施形態の写真撮影プリント装置１０１は、上記Ｓ１およびＳ２１〜Ｓ２８からなる一連の処理を、各利用者に対して繰り返し行う。すなわち、該Ｓ１およびＳ２１〜Ｓ２８の一連の処理が、１回のプレイに該当する。そして、本実施形態の写真プリント装置１０１は、１回のプレイ中において、編集処理を行う前に、試し印刷処理を行う。これにより、利用者は、試し印刷の結果を見て、明るさ等が所望のプリントシートを取得することができる。
【０１６３】
なお、本実施形態では、試し印刷処理部２３３は、撮影画像データを数段階の明るさで調整し、全段階の明るさ調整済の撮影画像データを第１プリント部３４に出力するものとして説明した。しかしながら、これに限らず、試し印刷処理部２３３は、撮影画像に対して明るさ調整を行わず、そのままの画像で、第１プリント部３４に出力させてもよい。この場合、第１プリント部３４が出力する試し印刷シートは、１つの画像だけでよく、サイズをより小さくすることができる。これにより、試し印刷に要するコストを抑えることができる。
【０１６４】
また、本実施形態では、試し印刷処理Ｓ２５が終了してから、編集処理Ｓ２６を行うものとした。しかしながら、これに限らず、試し印刷処理が終了するまえに、落書きの編集処理を開始してもよい。その後、試し印刷処理が終了し、利用者が、試し印刷シートを確認して、明るさ調整を行ってもよい。これにより、利用時間を短縮することができる。
【０１６５】
〔実施形態３〕
上記実施形態２では、編集時の明るさ調整により、所望の明るさにできる構成とした。本実施形態では、撮影時に所望の明るさとすることのできる構成である。
【０１６６】
本実施形態に係る写真撮影プリント装置２０１について、図１１〜図１３に基づいて説明すれば、以下のとおりである。なお、説明の便宜上、前記実施形態１，２にて説明した図面と同じ機能を有する部材については、同じ符号を付記し、その説明を省略する。
【０１６７】
図１１は、本実施形態に係る写真撮影プリント装置２０１の上からの断面図である。図１１に示すように、写真撮影プリント装置２０１は、上記実施形態１，２と比較して、第１プリント部３４およびその排出部３４ａが装置本体３の撮影空間５側に設けられている点で異なる。
【０１６８】
本実施形態の写真撮影プリント装置２０１は、試し印刷用の撮影処理を行い、該撮影した画像を第１プリント部３４で試し印刷する。利用者は、試し印刷されたプリントシート（試し印刷シート）を確認して、明るさが足りない等の判断ができる。次に、写真撮影プリント装置２０１は、本印刷用の撮影処理を行う。このとき、利用者は、試し印刷シートを確認済なので、所望の明るさ調整を行ったうえで、本印刷用の撮影を行うことができる。そして、写真撮影プリント装置２０１は、該撮影した画像に対して編集処理を行った後、第２プリント部３４で本印刷する。
【０１６９】
次に、写真撮影プリント装置２０１の機能的な構成について、図１２に示すブロック図を参照しながら説明する。同図に示すように、写真撮影プリント装置２０１は、上記実施形態２と比較して、撮影処理部２４の代わりに撮影処理部１２４を備える点で異なる。
【０１７０】
本実施形態の撮影処理部１２４は、図１２に示されるように、第１撮影部２４１と第２撮影部２４２とを備えている。
【０１７１】
第１撮影部２４１は、試し印刷用の撮影処理を行うものである。課金処理部３３において貨幣が投入されたことが検出されると、第１撮影部２４１は、試し印刷用の撮影処理を開始する。また、第１撮影部２４１は、試し印刷用の撮影を終えると、撮影した試し印刷用撮影画像データを記憶装置３０に格納するとともに、試し印刷処理部２３３に試し印刷開始信号を出力する。
【０１７２】
第２撮影部２４２は、本印刷用の撮影処理を行うものである。試し印刷処理部２３３から試し印刷終了信号を受けると、本印刷用の撮影処理を開始する。第２撮影部２４２は、所定枚数の本印刷用の撮影を終えると、撮影した本印刷用撮影画像データを記憶装置３０に格納するとともに、画像処理部２２に画像処理開始信号を出力する。
【０１７３】
なお、本実施形態の試し印刷処理部２３３は、第１撮影部２４１から試し印刷開始信号を受け、第１プリント部３４からの試し印刷終了信号をそのまま第２撮影部２４２に対して出力する。また、本実施形態の画像処理部２２は、第２撮影部２４２から画像処理開始信号を受ける。
【０１７４】
次に、本実施形態の写真撮影プリント装置２０１における処理の流れについて、図１３に示すフローチャートを参照しながら説明する。まず、上記実施形態１，２と同様に、Ｓ１において、硬貨の投入があるか否かの確認処理を行う。
【０１７５】
次に、Ｓ３１において、撮影モードの選択処理を行う。すなわち、撮影処理部１２４は、撮影処理用タッチパネル８に、撮影モードを選択させる旨の撮影モード選択画面を表示させる。
【０１７６】
撮影モードの選択入力が撮影処理用タッチパネル８にされると、Ｓ３２において、撮影処理部２４の第１撮影部２４１は、選択された撮影モードで、試し印刷用の撮影処理を行う。
【０１７７】
そして、Ｓ３３において、第１撮影部２４１は、Ｓ３１における撮影モード選択処理の開始からの経過時間が設定時間（ここでは、１分）を超えたか否かを判断する。超えていない場合には（Ｓ３３においてＮＯ）、Ｓ３１およびＳ３２における撮影処理が繰り返し行われる。なお、例えば、利用者によって撮影処理の終了指示が出されることにより、撮影処理が終了されるようになっていてもよい。
【０１７８】
一方、経過時間が１分を超えたことが確認されると（Ｓ３３においてＹＥＳ）、第１撮影部２４１は、試し印刷用の撮影処理を終了し、試し印刷用撮影画像データを記憶装置３０に格納する。それとともに、第１撮影部２４１は、試し印刷処理部２３３に対して試し印刷開始信号を出力する。
【０１７９】
次に、Ｓ３４において、試し印刷開始信号を受けた試し印刷処理部２３３は、記憶装置３０から試し印刷用撮影画像データを読み出し、読み出した試し印刷用撮影画像データを第１プリント部３４に出力する。該試し印刷用撮影画像データが入力された第１プリント部３４は、取得した試し印刷用撮影画像データをプリントアウトし、排出部３４ａからシートを排出する。第１プリント部３４は、プリントアウト処理が終了すると、試し印刷処理部２３３に対して試し印刷終了信号を出力し、試し印刷処理部２３３は、第２撮影部２４２に対して、該試し印刷終了信号を出力する。また、このとき、試し印刷処理部２３３は、排出部３４ａに試し印刷されたプリントシール（試し印刷シート）が排紙されていることを通知する画面を撮影処理用タッチパネル８に表示する。これにしたがって、利用者は、排出部３４ａから試し印刷シートを受取る。利用者は、受取った試し印刷シートを確認することで、明るさが足りないことなどを理解することができる。
【０１８０】
次に、Ｓ３５において、試し印刷終了信号を受けた第２撮影部２４２は、撮影処理用タッチパネル８に、照明装置１６における光量を調整する画面を表示させる。これにより、利用者は、試し印刷シートを見ながら、照明装置１６の光量を調整することができる。例えば、利用者は、試し印刷シートを見て、明るさが足りないと感じた場合、照明装置１６の光量を増やすことを撮影処理用タッチパネル８に入力する。そして、第２撮影部２４２は、撮影処理用タッチパネル８に入力された信号を基に、照明装置１６の光量を調整する。
【０１８１】
次に、Ｓ３６において、第２撮影部２４２は、上記Ｓ３５において調整した光量で、本印刷用の撮影処理を行う。このように、第２撮影部２４２は、利用者の操作に応じて、画像を生成するための生成条件である撮影条件（ここでは、照明条件）を設定する設定手段といえる。ここで、利用者は、撮影処理用タッチパネル８のライブビュー画像を確認しながら、自分の立ち位置やポーズなどを考え、準備が整い次第、撮影開始指示を行うことによって撮影が行われる。
【０１８２】
そして、Ｓ３７において、Ｓ３５における本印刷用の撮影処理開始からの経過時間が設定時間（ここでは、１分）を超えたか否かを判断する。超えていない場合には（Ｓ３７においてＮＯ）、Ｓ３５およびＳ３６における撮影処理が繰り返し行われる。なお、ここでは、経過時間が１分をオーバーした場合に撮影処理の終了を行う設定になっているが、例えば、撮影枚数が累積限度になった場合や、利用者によって撮影処理の終了指示が出されることにより、撮影処理が終了されるようになっていてもよい。
【０１８３】
一方、経過時間が１分を超えたことが確認されると（Ｓ３７においてＹＥＳ）、第２撮影部２４２は、撮影処理を終了し、撮影処理によって生成された本印刷用撮影画像データを記憶装置３０に格納するとともに、画像処理部２２に画像処理開始信号を出力する。また、このとき、第２撮影部２４２は、撮影処理用タッチパネル８に、利用者を編集領域６に移動する案内を表示する。
【０１８４】
その後、上記Ｓ２６〜Ｓ２８の処理を行い、写真撮影プリント装置２０１は、一連の処理を終了する。
【０１８５】
以上のように、本実施形態の写真撮影プリント装置２０１は、上記Ｓ１、Ｓ３１〜Ｓ３７およびＳ２６〜Ｓ２８からなる一連の処理を、各利用者に対して繰り返し行う。すなわち、該Ｓ１、Ｓ３１〜Ｓ３７およびＳ２６〜Ｓ２８の一連の処理が、１回のプレイに該当する。そして、本実施形態の写真プリント装置２０１は、１回のプレイ中において、試し印刷用の撮影処理および試し印刷処理を行った後、本印刷用の撮影処理を行う。これにより、利用者は、試し印刷の結果を見て、本印刷用の撮影処理時における照明装置１６の光量調整を行うことができる。その結果、利用者は、明るさが所望であるプリントシートを取得することができ、印刷結果に満足することができる。
【０１８６】
なお、本実施形態では、第２撮影部２４２は、利用者の操作に応じて、照明条件を設定するとした。しかしながら、これに限らず、第２撮影部２４２は、利用者の操作に応じて、背景シートなどの撮影条件の設定を行ってもよい。
【０１８７】
また、本実施形態および上記実施形態２では、試し印刷を第１プリント部３４で、本印刷を第２プリント部３５で行う構成とした。しかしながら、試し印刷および本印刷を同じプリント部で行う構成も考えられる。
【０１８８】
試し印刷および本印刷を同じプリント部で行うとき、試し印刷と本印刷とで使用するプリント紙の種類（サイズなど）が異なる場合、試し印刷と本印刷とでプリント紙の切り替え処理を行う。
【０１８９】
また、試し印刷および本印刷を同じプリント部で行うときには、試し印刷シートが編集領域６に排出され、本印刷シートがプリント排出待機領域７に排出されるように、試し印刷シートと本印刷シートとの搬送路を切り替える処理を行う。もしくは、試し印刷シートと本印刷シートとをターンテーブルで排出方向を切り替えてもよい。
【０１９０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１９１】
本発明は、例えば、ゲームセンターなどの娯楽施設や遊戯施設において、利用者の写真撮影を行うとともに、その写真を複数枚のシートにプリントして出力する写真撮影プリント装置一般に利用することができる。
【図面の簡単な説明】
【０１９２】
【図１】本発明の実施形態１に係る写真撮影プリント装置の機能構成を示すブロック図である。
【図２】上記写真撮影プリント装置を上から見た断面図である。
【図３】上記写真撮影プリント装置の編集領域が見えない側からの斜視図である。
【図４】上記写真撮影プリント装置の編集領域が見える側からの斜視図である。
【図５】上記写真撮影プリント装置における処理の流れを示すフローチャートである。
【図６】上記写真撮影プリント装置の編集処理用タッチパネルにおける表示例を示す図である。
【図７】本発明の実施形態２に係る写真撮影プリント装置を上から見た断面図である。
【図８】実施形態２に係る写真撮影プリント装置の機能構成を示すブロック図である。
【図９】実施形態２に係る写真撮影プリント装置における処理の流れを示すフローチャートである。
【図１０】写真撮影プリント装置の撮影処理用タッチパネルにおける表示例を示す図である。
【図１１】本発明の実施形態３に係る写真撮影プリント装置を上から見た断面図である。
【図１２】実施形態３に係る写真撮影プリント装置の機能構成を示すブロック図である。
【図１３】実施形態３に係る写真撮影プリント装置における処理の流れを示すフローチャートである。
【符号の説明】
【０１９３】
１・１０１・２０１    写真撮影プリント装置
２    カメラユニット（撮影部）
２０    制御部（制御手段）
２２    画像処理部（設定手段）
２３・１２３    出力処理部（画像出力制御手段）
３４    第１プリント部（画像出力部、第１画像出力部）
３５    第２プリント部（画像出力部、第２画像出力部）
２４２    第２撮影部（設定手段）
【図１】
2005271262.tif 000003
【図２】
2005271262.tif 000004
【図３】
2005271262.tif 000005
【図４】
2005271262.tif 000006
【図５】
2005271262.tif 000007
【図６】
2005271262.tif 000008
【図７】
2005271262.tif 000009
【図８】
2005271262.tif 000010
【図９】
2005271262.tif 000011
【図１０】
2005271262.tif 000012
【図１１】
2005271262.tif 000013
【図１２】
2005271262.tif 000014
【図１３】
2005271262.tif 000015